(57)【要約】【課題】利便性を向上できる家電システムを提供する。【解決手段】室内機２０及び室外機３０を有して室内の空気調和を行う空気調和機１０と、衣類の洗濯を行う洗濯機５０と、を備え、空気調和機１０は洗濯機５０と双方向の通信を行う通信部２８を有するとともに、洗濯機５０は空気調和機１０と双方向の通信を行う通信部８２を有し、空気調和機１０及び洗濯機５０の一方の情報に基づいて他方を駆動する。【選択図】図１
2018089209.tif 000002
【特許請求の範囲】
【請求項１】
室内機及び室外機を有して室内の空気調和を行う空気調和機と、衣類の洗濯を行う洗濯機とを備え、前記空気調和機は前記洗濯機と双方向の通信を行う第１通信部を有するとともに、前記洗濯機は前記空気調和機と双方向の通信を行う第２通信部を有し、
前記空気調和機及び前記洗濯機の一方の情報に基づいて他方を駆動することを特徴とする家電システム。
【請求項２】
前記空気調和機は室内を除湿する除湿運転及び室内を除臭する除臭運転が可能であり、  前記洗濯機の運転開始後に洗濯物の部屋干しと判断した場合に、前記洗濯機の運転終了の所定時間前または所定時間後に前記空気調和機が前記除湿運転及び前記除臭運転の一方または両方を開始することを特徴とする請求項１に記載の家電システム。
【請求項３】
雨天または夜間の場合に洗濯物の部屋干しと判断することを特徴とする請求項２に記載の家電システム。
【請求項４】
室内湿度を検知する湿度センサを前記室内機に設け、
前記空気調和機は室内を除湿する除湿運転及び室内を除臭する除臭運転が可能であり、
前記洗濯機の運転終了後の所定時間内の室内湿度の上昇率が所定値よりも大きい場合に前記空気調和機が前記除湿運転及び前記除臭運転の一方または両方を開始することを特徴とする請求項１に記載の家電システム。
【請求項５】
前記室内機が室内の人体を検知する人感センサと、報知を行う報知部とを備え、
室内に人体が存在して前記洗濯機の運転が停止した際に、前記報知部により前記洗濯機の運転停止の報知を行うことを特徴とする請求項１〜請求項４のいずれかに記載の家電システム。
【請求項６】
室内の人体を検知する人感センサを前記室内機に設け、
前記空気調和機の冷房運転または暖房運転中に、前記洗濯機の運転終了後の所定時間内に室内の人体が不在になり、不在後の所定時間内に再び室内に人体が存在した際に、冷房能力または暖房能力を所定時間高くすることを特徴とする請求項１〜請求項４のいずれかに記載の家電システム。
【請求項７】
前記洗濯機が前記洗濯機の洗濯槽内に向けて帯電粒子を送出する帯電粒子送出部と、前記洗濯槽内の洗濯物の有無を検知する洗濯物センサとを有するとともに、前記室外機が外気温を検知する温度センサを有し、
外気温が所定温度よりも高く前記洗濯機が停止して前記洗濯槽内に洗濯物が存在している場合に前記帯電粒子送出部を駆動させることを特徴とする請求項１〜請求項６のいずれかに記載の家電システム。
【発明の詳細な説明】
【技術分野】
【０００１】
本発明は、空気調和機と洗濯機とを備える家電システムに関する。
【背景技術】
【０００２】
従来の家電システムは特許文献１に開示されている。この家電システムは住居内に配設されたホームコントローラに空気調和機等の複数の家電機器が接続されている。ホームコントローラはインターネット網に接続されている。また、インターネット網にはユーザ端末が接続可能になっている。
【０００３】
外出中の使用者がユーザ端末をインターネット網に接続すると、ホームコントローラに接続された家電機器をユーザ端末のウェブ画面上で操作することができる。例えば、外出中の使用者はユーザ端末を介して空気調和機の冷房運転や暖房運転を行うことができる。
【０００４】
また、特許文献２には空気調和機が開示されている。この空気調和機は衣類乾燥運転が可能になっている。使用者の操作により衣類乾燥運転が選択されると、室外温度及び室内の輻射温度に基づいて暖房運転または除湿運転が行われる。これにより、部屋干しの洗濯物を速く乾燥させることができる。
【先行技術文献】
【特許文献】
【０００５】
【特許文献１】特開２００２−２５９６７８（第６頁〜第８頁、第１図）
【特許文献２】特開２００６−９７９１９号公報（第６頁、第７頁、第３図）
【発明の概要】
【発明が解決しようとする課題】
【０００６】
上記特許文献１の家電システムによると、ユーザ端末の操作により各家電機器の運転が行われる。これにより、家電機器が空気調和機及び洗濯機を含む場合に、洗濯機が運転されるとユーザ端末の操作によって空気調和機を駆動して衣類乾燥運転等を行うことができる。この時、ユーザ操作を必要とするため家電システムの利便性が悪い問題があった。また、空気調和機の動作に基づいて洗濯機を駆動する場合も同様に、ユーザ操作を必要とするため家電システムの利便性が悪い問題があった。
【０００７】
本発明は、利便性を向上できる家電システムを提供することを目的とする。
【課題を解決するための手段】
【０００８】
上記目的を達成するために本発明は、
室内機及び室外機を有して室内の空気調和を行う空気調和機と、
衣類の洗濯を行う洗濯機と、
を備え、前記空気調和機は前記洗濯機と双方向の通信を行う第１通信部を有するとともに、前記洗濯機は前記空気調和機と双方向の通信を行う第２通信部を有し、
前記空気調和機及び前記洗濯機の一方の情報に基づいて他方を駆動することを特徴としている。
【０００９】
また本発明は上記構成の家電システムにおいて、前記空気調和機は室内を除湿する除湿運転及び室内を除臭する除臭運転が可能であり、前記洗濯機の運転開始後に洗濯物の部屋干しと判断した場合に、前記洗濯機の運転終了の所定時間前または所定時間後に前記空気調和機が前記除湿運転及び前記除臭運転の一方または両方を開始すると好ましい。
【００１０】
また本発明は上記構成の家電システムにおいて、前記空気調和機は前記室内機の筐体に開口する吸込口及び吹出口と、前記吸込口と前記吹出口とを連結する空気通路と、前記空気通路内に配された送風機と、前記空気通路内に面して帯電粒子を発生する帯電粒子発生装置とを有し、前記除臭運転時に前記送風機及び前記帯電粒子発生装置を駆動すると好ましい。
【００１１】
また本発明は上記構成の家電システムにおいて、前記帯電粒子はプラスイオン及びマイナスイオンであると好ましい。
【００１２】
また本発明は上記構成の家電システムにおいて、洗濯物の部屋干しと判断した場合に前記空気調和機が暖房運転している時には前記除湿運転に切替えずに前記除湿運転を促す報知を行うと好ましい。
【００１３】
また本発明は上記構成の家電システムにおいて、雨天または夜間の場合に洗濯物の部屋干しと判断すると好ましい。
【００１４】
また本発明は上記構成の家電システムにおいて、前記第１通信部または前記第２通信部が所定のネットワークに接続することができ、ネットワークを介して気象情報または時刻情報を取得すると好ましい。
【００１５】
また本発明は上記構成の家電システムにおいて、前記洗濯機は洗濯物を乾燥させる乾燥運転が可能であり、雨天時または夜間に前記乾燥運転が非選択の場合に洗濯物の部屋干しと判断すると好ましい。
【００１６】
また本発明は上記構成の家電システムにおいて、前記空気調和機及び前記洗濯機の少なくとも一方は、少なくとも降雨を検知する気象センサを有すると好ましい。
【００１７】
また本発明は上記構成の家電システムにおいて、前記気象センサは気圧計から成ると好ましい。
【００１８】
また本発明は上記構成の家電システムにおいて、前記気象センサは湿度センサから成ると好ましい。
【００１９】
また本発明は上記構成の家電システムにおいて、前記気象センサは太陽光を検知する照度センサから成ると好ましい。
【００２０】
また本発明は上記構成の家電システムにおいて、前記空気調和機及び前記洗濯機の少なくとも一方は時計を有すると好ましい。
【００２１】
また本発明は上記構成の家電システムにおいて、室内湿度を検知する湿度センサを前記室内機に設け、前記空気調和機は室内を除湿する除湿運転及び室内を除臭する除臭運転が可能であり、前記洗濯機の運転終了後の所定時間内の室内湿度の上昇率が所定値よりも大きい場合に前記空気調和機が前記除湿運転及び前記除臭運転の一方または両方を開始すると好ましい。
【００２２】
また本発明は上記構成の家電システムにおいて、前記洗濯機の運転終了後の所定時間内の室内湿度の上昇率が所定値よりも大きく前記空気調和機が暖房運転している時には前記除湿運転に切替えずに前記除湿運転を促す報知を行うと好ましい。
【００２３】
また本発明は上記構成の家電システムにおいて、前記室内機が室内の人体を検知する人感センサと、報知を行う報知部とを備え、室内に人体が存在して前記洗濯機の運転が停止した際に、前記報知部により前記洗濯機の運転停止の報知を行う好ましい。
【００２４】
また本発明は上記構成の家電システムにおいて、室内の人体を検知する人感センサを前記室内機に設け、前記空気調和機の冷房運転または暖房運転中に、前記洗濯機の運転終了後の所定時間内に室内の人体が不在になり、不在後の所定時間内に再び室内に人体が存在した際に、冷房能力または暖房能力を所定時間高くすると好ましい。
【００２５】
また本発明は上記構成の家電システムにおいて、前記洗濯機が前記洗濯機の洗濯槽内に向けて帯電粒子を送出する帯電粒子送出部と、前記洗濯槽内の洗濯物の有無を検知する洗濯物センサとを有するとともに、前記室外機が外気温を検知する温度センサを有し、外気温が所定温度よりも高く前記洗濯機が停止して前記洗濯槽内に洗濯物が存在している場合に前記帯電粒子送出部を駆動させると好ましい。
【００２６】
また本発明は上記構成の家電システムにおいて、前記洗濯機は前記洗濯槽内の洗濯物の温度を検知する洗濯物温度センサを有し、前記洗濯槽内の洗濯物の温度が室温よりも高い場合には前記洗濯物温度センサの検知温度が室温と略同じ温度になるまで前記帯電粒子送出部を駆動させると好ましい。
【００２７】
また本発明は上記構成の家電システムにおいて、前記洗濯物温度センサは赤外線センサから成ると好ましい。
【００２８】
また本発明は上記構成の家電システムにおいて、前記第１通信部または前記第２通信部が所定のネットワークに接続することができ、前記ネットワークを介して外気温情報を取得し、前記空気調和機は前記洗濯機が配置された室内に向けて帯電粒子を送出する帯電粒子送出部を有するとともに、前記洗濯機は前記洗濯槽内の洗濯物の有無を検知する洗濯物センサを有し、外気温が所定温度よりも高く前記洗濯機が停止して前記洗濯槽内に洗濯物が存在している場合に前記帯電粒子送出部を駆動させると好ましい。
【００２９】
また本発明の空気調和機は、室内に配置される室内機と、室外に配置される室外機と、衣類の洗濯を行う洗濯機と双方向の通信を行う通信部と、を備え、前記洗濯機の情報に基づいて駆動されることを特徴としている。
【００３０】
また本発明の洗濯機は、室内の空気調和を行う空気調和機と双方向の通信を行う通信部を備え、前記空気調和機の情報に基づいて駆動されることを特徴としている。
【発明の効果】
【００３１】
本発明によると、室内の空気調和を行う空気調和機は、衣類の洗濯を行う洗濯機と双方向の通信を行う第１通信部を有するとともに、洗濯機は空気調和機と双方向の通信を行う第２通信部を有し、空気調和機及び洗濯機の一方の情報に基づいて他方が駆動される。これにより、空気調和機及び洗濯機の一方の情報に基づき、ユーザ操作を必要とせずに他方を駆動させることができる。したがって、家電システムの利便性を向上させることができる。
【図面の簡単な説明】
【００３２】
【図１】本発明の第１実施形態の家電システムの概略構成を示す図
【図２】本発明の第１実施形態の家電システムの空気調和機を示す側面断面図
【図３】本発明の第１実施形態の家電システムの空気調和機の構成を示すブロック図
【図４】本発明の第１実施形態の家電システムの洗濯機を示す側面断面図
【図５】本発明の第１実施形態の家電システムの洗濯機の構成を示すブロック図
【図６】本発明の第１実施形態の家電システムの空気調和機と洗濯機との連携動作を示すフローチャート
【図７】本発明の第１実施形態の家電システムの槽内除臭処理を示すフローチャート
【図８】本発明の第１実施形態の家電システムの空調制御処理を示すフローチャート
【図９】本発明の第１実施形態の家電システムの停止時報知処理を示すフローチャート
【図１０】本発明の第２実施形態の家電システムの空調制御処理を示すフローチャート
【図１１】本発明の第３実施形態の家電システムの空調制御処理を示すフローチャート
【発明を実施するための形態】
【００３３】
＜第１実施形態＞
以下に図面を参照して本発明の実施形態を説明する。図１は第１実施形態の家電システムの概略構成を示している。家電システム１は空気調和機１０及び洗濯機５０を備える。空気調和機１０及び洗濯機５０は通信部２８（図３参照）、通信部８２（図５参照）によりＷｉ‐Ｆｉ（登録商標）等の無線通信規格を用いてルータ１０１に無線接続される。ルータ１０１はインターネット等の所定のネットワーク１００に接続される。
【００３４】
洗濯機５０は所謂ドラム式洗濯機であり、脱衣室等に設置される筐体５１を有する。筐体５１の背面からは電源コード（不図示）が導出される。電源コードは壁面に設けた電源コンセントに接続され、洗濯機５０に電力を供給する。筐体５１の前面には衣類等の洗濯物Ｗ（図４参照）が投入される投入口５１ａ（図４参照）が設けられ、投入口５１ａはガラス板等が嵌め込まれた透視窓５３を有する扉５２によって開閉される。
【００３５】
筐体５１の上面の後部には給水口５５が開口している。給水口５５はホース（不図示）を介して市水に接続される。筐体５１の上面の前端部には操作部５４が設けられる。操作部５４は表示パネル（不図示）及び複数の操作ボタン（不図示）を有する。操作部５４の操作により洗濯機５０は後述の洗濯運転や乾燥運転等を行うことができる。
【００３６】
空気調和機１０は室内機２０及び室外機３０を有する。室内機２０は居室内の側壁面ＷＡに設置され、屋外に設置された室外機３０に配線９０により接続される。空気調和機１０はリモートコントローラ４０の操作により運転開始や運転停止等が指示される。
【００３７】
室内機２０はオープンパネル３を前面に配した筐体２により外面を覆われる。オープンパネル３は上端で枢支され、筐体２の前面を開閉可能に配される。筐体２の側面からは電源コード６が導出される。電源コード６は側壁面ＷＡに設けた電源コンセントＣに接続され、室内機２０及び室外機３０に電力を供給する。
【００３８】
筐体２の上面には吸込口４が左右方向に延びて開口し、筐体２の前面下部には吹出口５が左右方向に延びて開口する。
【００３９】
図２は室内機２０の側面断面図を示している。筐体２は居室内の側壁面ＷＡの天井面ＣＬに近い高さに据付板１５を介して取り付けられる。筐体２の内部には吸込口４と吹出口５とを連結する空気通路８が設けられる。空気通路８内には空気を送出する送風機９が配される。送風機９の駆動によって吸込口４から居室内の空気が空気通路８に流入し、吹出口５から送出される。送風機９としてクロスフローファンが好適に用いられる。
【００４０】
空気通路８内の吸込口４と送風機９との間には熱交換器１１が配される。熱交換器１１は室外機３０に配した圧縮機３１（図３参照）に接続される。圧縮機３１が駆動されると冷凍サイクルが運転され、熱交換器１１は空気通路８を流通する空気と熱交換を行う。これにより、空気調和機１０の冷房運転時及び暖房運転時に吹出口５からそれぞれ冷気及び暖気が居室内に送出される。すなわち、空気調和機１０は居室内の空気調和を行う。
【００４１】
吸込口４と熱交換器１１との間には吸込口４に面して左右方向に延びるフィルタ（不図示）が筐体２に対して着脱可能に配される。フィルタは筐体２の前端部から後端部にわたって配され、吸込口４を介して空気通路８に流入する空気中の塵埃を捕集する。フィルタはＡＢＳ樹脂等の樹脂で形成された複数段複数列の窓部を有する矩形の枠部（不図示）に、ポリプロピレン製のメッシュ（不図示）を溶着して形成される。
【００４２】
空気通路８は送風機９と吹出口５との間にダクト状の吹出通路１３を有する。吹出通路１３の上下面は上壁１３ａ及び下壁１３ｂにより形成され、左右面は送風機９を軸支する側壁により形成される。また、上壁１３ａ及び下壁１３ｂは前方が下方に傾斜し、吹出通路１３は傾斜して気流を前方下方に案内する。
【００４３】
吹出通路１３内には下壁１３ｂ上に立設された複数の縦風向板１２が筐体２の左右方向に並べて配される。縦風向板１２は左右方向に回動可能に構成される。これにより、吹出口５から送出される空気の風向が左右方向に可変される。吹出口５の近傍には吹出口５から送出される空気の風向を上下方向に可変する横風向板１８が配される。
【００４４】
図１及び図２に示すように横風向板１８は空気調和機１０の運転停止時には吹出口５を閉塞する閉塞位置に配される。これにより、空気調和機１０の運転停止時に空気通路８内が視認されず、空気調和機１０の美観を向上させることができる。
【００４５】
空気調和機１０の暖房運転時には横風向板１８は図２に示す閉塞位置から下流端１８ａを下方に回動し、一点鎖線ＷＰに示す暖房位置に移動する。そして、矢印Ｓｗで示すように吹出口５から下方に向けて調和空気（暖気）が送出される。
【００４６】
冷房運転時には横風向板１８は図２に示す閉塞位置から下流端１８ａを下方に回動し、二点鎖線ＣＰに示すように閉塞位置と暖房位置との間の冷房位置に移動する。そして、矢印Ｓｃで示すように吹出口５から略水平方向に調和空気（冷気）が送出される。
【００４７】
吹出通路１３内には帯電粒子発生装置であるイオン発生装置１４が配置される。イオン発生装置１４は吹出通路１３に臨む電極（不図示）を有する。電極には交流波形またはインパルス波形から成る電圧が印加される。電極の印加電圧が正電圧の場合は主としてＨ＋（Ｈ２Ｏ）ｍから成るプラスイオン（帯電粒子）を発生し、負電圧の場合は主としてＯ２−（Ｈ２Ｏ）ｎから成るマイナスイオン（帯電粒子）を発生する。ここで、ｍ、ｎは整数である。Ｈ＋（Ｈ２Ｏ）ｍ及びＯ２−（Ｈ２Ｏ）ｎは空気中の浮遊菌や臭気成分の表面で凝集してこれらを取り囲む。
【００４８】
そして、式（１）〜（３）に示すように、衝突により活性種である［・ＯＨ］（水酸基ラジカル）やＨ２Ｏ２（過酸化水素）を微生物等の表面上で凝集生成して浮遊菌等を破壊する。ここで、ｍ’、ｎ’は整数である。したがって、送風機９を駆動させた状態で、イオン発生装置１４がプラスイオン及びマイナスイオンを発生して吹出通路１３内に送出することにより居室内の除菌及び臭い除去（除臭）を行うことができる。イオン発生装置１４及び送風機９により居室内にイオンを送出するイオン送出部（帯電粒子送出部）が構成される。
【００４９】
Ｈ＋(Ｈ２Ｏ)ｍ＋Ｏ２−(Ｈ２Ｏ)ｎ→・ＯＨ＋1/2Ｏ２＋(ｍ＋ｎ)Ｈ２Ｏ ・・・（１）
Ｈ＋(Ｈ２Ｏ)ｍ＋Ｈ＋(Ｈ２Ｏ)ｍ’＋Ｏ２−(Ｈ２Ｏ)ｎ＋Ｏ２−(Ｈ２Ｏ)ｎ’
→ 2・ＯＨ＋Ｏ２＋(ｍ＋ｍ'＋ｎ＋ｎ')Ｈ２Ｏ ・・・（２）
Ｈ＋(Ｈ２Ｏ)ｍ＋Ｈ＋(Ｈ２Ｏ)ｍ’＋Ｏ２−(Ｈ２Ｏ)ｎ＋Ｏ２−(Ｈ２Ｏ)ｎ’
→ Ｈ２Ｏ２＋Ｏ２＋(ｍ＋ｍ'＋ｎ＋ｎ')Ｈ２Ｏ ・・・（３）
【００５０】
また、空気調和機１０は除湿運転及び除臭運転が可能になっている。除湿運転では横風向板１８が冷房位置に移動し、居室内を除湿する。除臭運転では横風向板１８により吹出口５を開いて送風機９及びイオン発生装置１４を駆動し、居室内にイオンを送出する。
【００５１】
図３は空気調和機１０の構成を示すブロック図である。室内機２０及び室外機３０は各部を制御するＣＰＵから成る制御部２９、３９をそれぞれ有する。室内機２０の制御部２９と室外機３０の制御部３９とは配線９０を介して接続される。制御部２９には人感センサ２１、温度センサ２２、湿度センサ２３、赤外線受光部４１、記憶部２４、通信部２８（第１通信部）、報知部２６、送風機９、横風向板１８、縦風向板１２、イオン発生装置１４が接続される。
【００５２】
人感センサ２１は例えば赤外線センサから成り、居室内の人体を検知する。温度センサ２２は居室内の温度を検知する。湿度センサ２３は居室内の湿度（相対湿度）を検知する。記憶部２４は室内機２０の制御プログラムを格納するとともに、制御部２９による演算結果や、人感センサ２１、温度センサ２２、湿度センサ２３の検知結果を記憶する。
【００５３】
報知部２６はスピーカから成り、音声を出力する。通信部２８はルータ１０１を介してネットワーク１００に無線接続される。赤外線受光部４１はリモートコントローラ４０から出射された赤外線を受光する。
【００５４】
室外機３０の制御部３９には圧縮機３１、温度センサ３２、送風機３３、記憶部３４が接続される。温度センサ３２は屋外の温度（外気温）を検知する。送風機３３は室外機３０に配された熱交換器（不図示）に向けて空気を送出する。記憶部３４は室外機３０の制御プログラムを格納するとともに、制御部３９による演算結果、温度センサ３２の検知結果を記憶する。
【００５５】
図４は家電システム１の洗濯機５０の側面断面図を示している。筐体５１内には前面に開口部５６ａを有する有底筒状の水槽５６が横設されている。水槽５６はダンパ５９によって筐体５１内で弾性支持され、内部に水を溜めることができる。開口部５６ａの周縁にはゴム等の弾性体により形成されるパッキン（不図示）が設けられる。
【００５６】
水槽５６内には前面に開口部５７ａを有する有底筒状のドラム５７（洗濯槽）が横設される。ドラム５７は例えばステンレス鋼板により形成され、前端部には環状の流体バランサ５８が周設されている。流体バランサ５８はドラム５７に固定され、後述のモータ６０によりドラム５７とともに回転する。
【００５７】
ドラム５７の周面には複数の小孔５７ｂが開口している。これにより、水槽５６とドラム５７との間で水及び空気が流通することができる。ドラム５７の内周面上には回転軸Ｒ方向に延びる複数のバッフル（不図示）が配置される。バッフルはドラム５７内に向かって突出して設けられ、ドラム５７の周方向で等間隔になるように例えば３個設けられる。
【００５８】
水槽５６の後方にはモータ６０が配置される。モータ６０の軸部（不図示）は水槽５６を貫通してドラム５７に連結される。モータ６０の駆動によってドラム５７は回転軸Ｒを中心に回転する。回転軸Ｒは前後方向に配されて後方へ行くほど下方になるように傾斜している。これにより、筐体５１の前方に立った使用者はドラム５７内の後部まで容易に視認することができる。なお、回転軸Ｒが水平になるようにドラム５７を配置してもよい。
【００５９】
扉５２を開いて、投入口５１ａ及び開口部５６ａ、５７ａを介してドラム５７内に衣類等の洗濯物Ｗを収容することができる。使用者は透視窓５３を介してドラム５７内の洗濯物Ｗを容易に視認することができる。また、扉５２を閉じた時にパッキンが扉５２の周縁部に密着する。これにより、洗濯機５０の洗濯運転時に開口部５６ａを介した水槽５６内の水の漏出を防止することができる。
【００６０】
水槽５６の後端部及び前部には空気の流出口（不図示）及び流入口（不図示）がそれぞれ開口している。流出口と流入口とは水槽５６の外部に配された循環ダクト６１により連結されている。循環ダクト６１内には流出口から流入口に向かって（気流の上流側から下流側に向かって）冷却器６２、加熱器６３、送風機６４及びイオン発生装置６５（帯電粒子発生装置）が順に配される。
【００６１】
冷却器６２及び加熱器６３は冷媒配管（不図示）を介して圧縮機７３（図５参照）及び膨張弁（不図示）に接続される。送風機６４の駆動により水槽５６内の空気は矢印Ａに示すように循環ダクト６１を介して循環する。イオン発生装置６５の構成はイオン発生装置１４の構成と同様であり、送風機６４及びイオン発生装置６５によりイオン送出部（帯電粒子送出部）が構成される。
【００６２】
圧縮機７３が駆動されると圧縮機７３で圧縮された冷媒が加熱器６３、膨張弁及び冷却器６２の順に流通する。送風機６４の駆動により循環ダクト６１内を流通する吸湿空気は冷却器６２によって冷却されて乾燥した後に、加熱器６３で加熱されて水槽５６内に送出される。これにより、洗濯物の乾燥が行われる。
【００６３】
筐体５１の上部には給水口５５と水槽５６の流入口５６ｂとを連通させる給水通路６６が設けられる。給水通路６６には給水弁６７及び洗剤室６８が設けられる。給水弁６７を開くことにより水槽５６内に給水することができる。洗剤室６８は筐体５１の上面に設けられた蓋部（不図示）により開閉され、洗濯用洗剤、漂白剤、柔軟剤等を収納する。給水口５５、給水通路６６及び給水弁６７により水槽５６に給水する給水部が構成される。
【００６４】
水槽５６の後部の下端には筐体５１の外部に向けて排水通路６９が導出される。排水通路６９には排水弁７０が設けられる。排水弁７０の開放により水槽５６内の水は排水通路６９を介して筐体５１の外部へ排水される。排水通路６９及び排水弁７０により排水部が構成される。
【００６５】
筐体５１の外部に導出された排水通路６９は脱衣室内の床面Ｆ下に設けられた排水トラップ７１の一端に接続される。排水トラップ７１には封水ＷＳが溜まっている。これにより、下水管からの悪臭や害虫の進入を防止することができる。
【００６６】
図５は洗濯機５０の構成を示すブロック図である。洗濯機５０は各部を制御するＣＰＵから成る制御部８０を有する。制御部８０には操作部５４、記憶部８１、イオン発生装置６５、送風機６４、圧縮機７３、通信部８２（第２通信部）、排水弁７０、給水弁６７、モータ６０、洗濯物センサ８５、報知部８６が接続される。
【００６７】
通信部８２はルータ１０１を介してネットワーク１００に無線接続される。これにより、空気調和機１０の通信部２８（図３参照）は洗濯機５０と双方向の通信を行うことができ、洗濯機５０の通信部８２は空気調和機１０と双方向の通信を行うことができる。
【００６８】
洗濯物センサ８５は例えば重量センサにより構成され、ドラム５７内の洗濯物Ｗの有無及び量を検知する。報知部８６はスピーカから成り、音声を出力する。記憶部８１は洗濯機５０の制御プログラムを格納するとともに、制御部８０による演算結果や洗濯物センサ８５の検知結果を記憶する。
【００６９】
図６は家電システム１の空気調和機１０と洗濯機５０とが連携する連携動作の一例を示すフローチャートである。空気調和機１０の電源コード６が電源コンセントＣに接続されるとともに洗濯機５０の電源コード（不図示）が電源コンセント（不図示）に接続されると、通信部２８、８２、及び各センサは待機電力により駆動される。ステップ＃１１では室外機３０の温度センサ３２の検知温度（外気温Ｔ）が所定の上限温度Ｔｈよりも高いか否かが判断される。外気温Ｔが上限温度Ｔｈよりも高い場合にはステップ＃１２に移行し、上限温度Ｔｈよりも高くない場合にはステップ＃１３に移行する。
【００７０】
ステップ＃１２ではドラム５７内にイオンを送出する槽内除臭処理（図７参照）が行われる。ステップ＃１３では洗濯機５０の運転が開始されたか否かが空気調和機１０の制御部２９で判断される。洗濯機５０の運転が開始された場合にはステップ＃１４に移行し、洗濯機５０の運転が開始されていない場合にはステップ＃１１に戻ってステップ＃１１〜ステップ＃１３が繰り返される。ステップ＃１４では、空気調和機１０の空気調和動作を制御する空調制御処理（図８参照）が行われる。
【００７１】
洗濯機５０の運転が開始されると、まず洗濯運転が行われる。洗濯運転では洗い工程、すすぎ工程及び脱水工程が順に実行される。なお、操作部５４の操作により選択された工程のみを実行することができる。
【００７２】
洗い工程では、給水部による水槽５６への給水後に洗濯物Ｗ及び洗剤が投入されたドラム５７を回転させて洗濯物Ｗを洗う。すすぎ工程では、水槽５６及びドラム５７内の洗濯水（洗い工程時の水）を排水して給水を再度行った後に、洗濯物Ｗが収容されたドラム５７を回転させて洗濯物Ｗをすすぐ。洗い工程及びすすぎ工程時に、バッフルにより洗濯物Ｗが撹拌される。
【００７３】
脱水工程では、水槽５６及びドラム５７内の水（すすぎ工程時の水）を排水した後に排水弁７０を開いた状態で、洗濯物Ｗが収容されたドラム５７を洗い工程及びすすぎ工程の時よりも高速で回転させる。これにより、洗濯物Ｗを脱水することができる。脱水工程の終了により洗濯運転は終了する。
【００７４】
図７は図６のステップ＃１２の槽内除臭処理を示すフローチャートである。ステップ＃２１では、ドラム５７（洗濯槽）内に洗濯物Ｗが存在しているか否かが判断される。ドラム５７内に洗濯物Ｗが存在している場合にはステップ＃２２に移行し、洗濯物Ｗが存在していない場合には図６のステップ＃１３に戻る。
【００７５】
ステップ＃２２では洗濯機５０の送風機６４が駆動され、ステップ＃２３では洗濯機５０のイオン発生装置６５が駆動される。これにより、洗濯前または洗濯後のドラム５７内の洗濯物Ｗの除臭が行われる。したがって、外気温が高い日に、洗濯前の洗濯物Ｗの汗の臭いや洗濯後にドラム５７内に放置された洗濯物Ｗの臭いを抑えることができる。
【００７６】
ステップ＃２４では洗濯物Ｗがドラム５７から全て取り出されたか否かが判断される。洗濯物Ｗが全て取り出された場合にはステップ＃２６に移行し、洗濯物Ｗが全ては取り出されていない場合にはステップ＃２５に移行する。
【００７７】
ステップ＃２５では洗濯機５０の運転が開始されたか否かが判断される。洗濯機５０の運転が開始された場合にはステップ＃２６に移行し、洗濯機５０の運転が開始されていない場合にはステップ＃２４に戻り、ステップ＃２４及びステップ＃２５が繰り返される。
【００７８】
ステップ＃２６ではイオン発生装置６５が停止される。ステップ＃２７では送風機６４が停止され、図６のステップ＃１３に戻る。
【００７９】
図８は図６のステップ＃１４の空調制御処理を示すフローチャートである。ステップ＃３１では洗濯機５０の乾燥運転が選択されているか否かが判断される。操作部５４の操作により乾燥運転が選択されて実行される。洗濯機５０の乾燥運転が選択されていない場合にはステップ＃３２に移行し、選択されている場合にはステップ＃３７に移行する。
【００８０】
ステップ＃３２では通信部２８または通信部８２がネットワーク１００を介して気象情報を取得し、雨天であるか否かが判断される。雨天である場合にはステップ＃３４に移行し、雨天ではない場合にはステップ＃３３に移行する。
【００８１】
ステップ＃３３では通信部２８または通信部８２がネットワーク１００を介して時刻情報を取得し、夜間であるか否かが判断される。夜間である場合にはステップ＃３４に移行し、夜間ではない場合にはステップ＃３７に移行する。
【００８２】
ステップ＃３２のＹＥＳの場合またはステップ＃３３のＹＥＳの場合に制御部２９または制御部３９は洗濯物Ｗの部屋干しと判断する。また、ステップ＃３３のＮＯの場合に制御部２９または制御部３９は洗濯物Ｗの外干しと判断する。
【００８３】
ステップ＃３４では洗濯機５０の洗濯運転終了の１０分前になったか否かが判断される。洗濯運転終了の１０分前になった場合にはステップ＃３５に移行し、洗濯運転終了の１０分前になっていない場合にはステップ＃３１に戻ってステップ＃３１〜ステップ＃３４が繰り返される。
【００８４】
なお、ステップ＃３４において、洗濯機５０の脱水工程が終了したか否かが判断されてもよい。この時、脱水工程が終了した場合にはステップ＃３５に移行し、脱水工程が終了していない場合にはステップ＃３１に戻る。
【００８５】
ステップ＃３５では空気調和機１０が暖房運転中であるか否かが判断される。空気調和機１０が暖房運転中の場合にはステップ＃４０に移行し、暖房運転中ではない場合にはステップ＃３６に移行する。ステップ＃４０では室内機２０の報知部２６から例えば「部屋干しに備えて除湿運転をおすすめします」との音声が出力され、除湿提案報知が行われる。これにより、使用者に対して除湿運転の選択が促される。
【００８６】
なお、暖房運転時には居室内が乾燥していることが多い。このため、暖房運転中の場合に空気調和機１０の室内機２０の湿度センサ２３により居室内の湿度を検知し、居室内の湿度が所定の上限湿度（例えば５０％）よりも高い場合にステップ＃４０の除湿提案報知を行い、所定の上限湿度よりも高くない場合にステップ＃４０の除湿提案報知を行わずにステップ＃３７に移行してもよい。
【００８７】
ステップ＃３６では空気調和機１０の除湿運転及び除臭運転が行われる。除湿運転では横風向板１８が図２の二点鎖線ＣＰに示すように冷房位置に移動し、居室内の除湿が行われる。また、除臭運転では送風機９に加えてイオン発生装置１４を駆動させる。これにより、吹出口５からイオンを含む空気が送出され、居室内が除臭される。したがって、洗濯物Ｗの部屋干しと判断された際にユーザ操作を必要とせずに除湿運転及び除臭運転が開始される。その結果、部屋干しされる洗濯物Ｗの乾燥及び除臭を促進することができる。
【００８８】
なお、ステップ＃３６において、空気調和機１０は除湿運転及び除臭運転の一方のみを行ってもよい。また、ステップ＃３６において、除臭運転のみが行われる場合にはステップ＃３５及びステップ＃４０を省いてもよい。
【００８９】
ステップ＃３７では洗濯機５０の運転が終了するまで待機する。洗濯機５０の運転が終了するとステップ＃３８に移行し、洗濯機５０の停止時に停止の報知（停止報知）を行う停止時報知処理（図９参照）が行われる。ステップ＃３９では除湿運転及び除臭運転が終了するまで待機する。除湿運転及び除臭運転は所定時間（例えば１時間）行われる。なお、リモートコントローラ４０を介したキャンセル指示により除湿運転及び除臭運転は所定時間の経過前に終了してもよい。除湿運転及び除臭運転が終了すると図６のステップ＃１１に戻る。
【００９０】
なお、ステップ＃３６で除湿運転及び除臭運転を開始する際に、室内機２０の報知部２６（図３参照）により「除湿運転及び除臭運転を開始します」との音声が所定時間（例えば１５秒間）出力されてもよい。これにより、居室内の使用者は空気調和機１０の除湿運転及び除臭運転の開始を容易に認識することができる。
【００９１】
図９は図８のステップ＃３８の停止時報知処理を示すフローチャートである。ステップ＃４１では、居室内に人体が存在しているか否かが判断される。居室内に人体が存在している場合にはステップ＃４２に移行し、居室内に人体が存在していない場合には図８のステップ＃３９に戻る。
【００９２】
ステップ＃４２では夜間であるか否かが判断される。夜間ではない場合にはステップ＃４３に移行し、夜間である場合には図８のステップ＃３９に戻る。
【００９３】
ステップ＃４３では室内機２０の報知部２６により居室内の使用者に対して、例えば「洗濯機の運転が停止しました」との音声が出力され、停止報知が行われる。これにより、使用者が居室に在室しているために洗濯機５０の報知部８６の報知音が聞こえにくい場合でも使用者は脱衣室内に配置された洗濯機５０の運転停止を容易に認識することができる。なお、居室外で脱衣室の近傍の使用者は報知部８６の報知音から洗濯機５０の停止を容易に認識することができる。
【００９４】
なお、居室以外の他の部屋にも室内機２０を設置した場合には、他の部屋に存在する居住者に対しても報知部２６により上記の停止報知を行ってもよい。
【００９５】
また、報知部２６は音声に替えてブザー音等を出力してもよい。この場合、ブザー音等は空気調和機１０の運転開始時及び運転停止時の報知音とは異なると望ましい。
【００９６】
本実施形態によると、空気調和機１０は洗濯機５０と双方向の通信を行う通信部２８（第１通信部）を有するとともに、洗濯機５０は空気調和機１０と双方向の通信を行う通信部８２（第２通信部）を有する。そして、洗濯機５０の情報（例えば、乾燥運転の非選択で洗濯運転の終了１０分前）に基づいて空気調和機１０を駆動する。これにより、使用者によるリモートコントローラ４０の操作を必要とせずに使用者の行動を先読みして空気調和機１０が駆動され、除湿運転及び除臭運転が行われる。したがって、家電システム１の利便性を向上させることができる。
【００９７】
また、洗濯機５０の運転開始後に洗濯物Ｗの部屋干しと判断した場合に、洗濯機５０の運転終了の所定時間前に空気調和機１０が除湿運転及び除臭運転を開始する。これにより、洗濯物Ｗの部屋干しの際に洗濯物Ｗの乾燥を速めることができるとともに洗濯物Ｗの生乾き臭を除臭することができる。なお、空気調和機１０は洗濯機５０の運転終了の所定時間後に除湿運転及び除臭運転を開始してもよい。
【００９８】
また、洗濯物Ｗの部屋干しと判断した場合に空気調和機１０が暖房運転している時には除湿運転に切替えずに除湿運転を促す除湿提案報知を行う。これにより、空気調和機１０の暖房運転中に使用者の意図しない除湿運転への切替が防止され、居室内の暖房の妨げを防止することができる。
【００９９】
また、雨天または夜間の場合に洗濯物Ｗの部屋干しと判断する。これにより、洗濯物Ｗの部屋干しを容易に判断することができる。
【０１００】
また、洗濯機５０は洗濯物Ｗを乾燥させる乾燥運転が可能であり、雨天時または夜間に乾燥運転が非選択の場合に洗濯物Ｗの部屋干しと判断される。これにより、乾燥運転可能な洗濯機５０を用いても洗濯物Ｗの部屋干しを容易に判断することができる。
【０１０１】
また、通信部２８、８２はネットワーク１００に接続することができ、ネットワーク１００を介して気象情報を取得する。これにより、家電システム１は天候を容易に判断することができる。なお、通信部２８及び通信部８２の一方のみがネットワーク１００に接続することができ、通信部２８と通信部８２とが直接通信してもよい。この場合、ブルートゥース（登録商標）等の無線通信規格を用いて通信部２８と通信部８２とを無線接続してもよい。
【０１０２】
また、空気調和機１０及び洗濯機５０の少なくとも一方が、少なくとも降雨を検知する気象センサ（不図示）を有してもよい。これにより、通信部２８、８２がネットワーク１００に接続されていなくとも家電システム１は気象情報を取得することができる。この場合、ブルートゥース（登録商標）等の無線通信規格を用いて通信部２８と通信部８２とを無線接続すればよい。
【０１０３】
また、気象センサは気圧計、湿度センサ又は太陽光を検知する照度センサから成ってもよい。これにより、気象センサを容易に実現することができる。
【０１０４】
また、通信部２８、８２はネットワーク１００に接続することができ、ネットワーク１００を介して時刻情報を取得する。これにより、家電システム１は昼夜を容易に判断することができる。
【０１０５】
また、空気調和機１０及び洗濯機５０の少なくとも一方が時計を有してもよい。これにより、通信部２８、８２がネットワーク１００に接続されていなくとも家電システム１は時刻情報を取得することができる。この場合、ブルートゥース（登録商標）等の無線通信規格を用いて通信部２８と通信部８２とを無線接続すればよい。
【０１０６】
また、居室内に人体が存在している場合に報知部２６は洗濯機５０の運転停止を報知する。これにより、洗濯機５０が居室から離れた場所に設置されていても居室内の使用者は洗濯機５０の運転停止を容易に認識することができる。したがって、家電システム１の利便性をより向上させることができる。
【０１０７】
なお、スピーカに替えて、空気調和機１０の筐体２の前面に設けたＬＥＤや液晶パネル等により報知部２６を構成してもよい。この場合、例えばＬＥＤを所定の周期で点滅させて停止報知や除湿提案報知を行ってもよく、液晶パネルに「洗濯機の運転停止」や「除湿運転のおすすめ」等の文字を表示してもよい。
【０１０８】
また、報知部２６は夜間には洗濯機５０の運転停止の報知を行わない。これにより、夜間に居室内で就寝中の使用者の睡眠を妨げることを防止できる。なお、報知部２６は夜間には図８のステップ＃４０の除湿提案報知を行わないようにしてもよい。
【０１０９】
また、図９の停止時報知処理は洗濯機５０のエラー停止の場合に行われてもよい。これにより、居室内の使用者は洗濯機５０のエラー停止を容易に認識することができる。
【０１１０】
また、洗濯機５０がドラム５７（洗濯槽）内に向けてイオン（帯電粒子）を送出するイオン送出部（帯電粒子送出部）と、ドラム５７内の洗濯物Ｗの有無を検知する洗濯物センサ８５とを有するとともに、室外機３０が外気温Ｔを検知する温度センサ３２を有する。そして、外気温Ｔが所定の上限温度Ｔｈよりも高く洗濯機５０が停止してドラム５７内に洗濯物Ｗが存在している場合に洗濯機５０のイオン送出部を駆動させる。すなわち、空気調和機１０の情報（例えば、室外機３０の温度センサ３２の検知結果）に基づいて洗濯機５０を駆動する。これにより、外気温が高い日に、洗濯前の洗濯物Ｗの汗の臭いや洗濯後にドラム５７内に放置された洗濯物Ｗの臭いを抑えることができる。
【０１１１】
なお、洗濯機５０はドラム５７内の洗濯物Ｗの温度を検知する洗濯物温度センサを有してもよい。この場合、洗濯運転の開始前に洗濯物温度センサの検知温度が室温と略同じ温度になるまでイオン送出部を駆動させてもよい。
【０１１２】
また、外気温Ｔが所定の上限温度Ｔｈよりも高く洗濯機５０が停止してドラム５７内に洗濯物Ｗが存在している場合に、洗濯機５０の送風機６４及びイオン発生装置６５の駆動に替えて、空気調和機１０のイオン発生装置１４（帯電粒子発生装置）及び送風機９を駆動させてもよい。これにより、居室の空気調和機１０から洗濯機５０が配置された脱衣室に向けてイオン（帯電粒子）を送出し、洗濯前又は洗濯後の洗濯物Ｗを収納した洗濯機５０の周囲の臭いを抑えることができる。
【０１１３】
なお、本実施形態において、帯電粒子として上記イオンを用いているが、活性種を生成するものであればよい。例えば、帯電粒子として、空気中の水に対して高電圧を与えることで生成される帯電粒子を用いてもよい。具体的には、イオン発生装置１４、６５が帯電微粒子水から成るイオンを発生する静電霧化装置であってもよい。静電霧化装置によってラジカル成分を含む帯電微粒子水が生成される。すなわち、静電霧化装置に設けた放電電極をペルチェ素子により冷却することで放電電極の表面に結露水が生じる。次に、放電電極にマイナスの高電圧を印加すると、結露水から帯電微粒子水が生成される。また、放電電極からは帯電微粒子水とともに空気中に放出される負イオンも発生する。
【０１１４】
＜第２実施形態＞
次に、本発明の第２実施形態について説明する。図１０は第２実施形態の家電システム１の空気調和機１０と洗濯機５０とが連携する連携動作の空調制御処理を示すフローチャートである。本実施形態では図６のステップ＃１４の空調制御処理が前述の図１〜図９に示す第１実施形態とは異なっている。その他の部分は第１実施形態と同様である。説明の便宜上、前述の図１〜図９と同様の部分には同一の符号を付している。
【０１１５】
図６のステップ＃１４に移行すると、図１０のステップ＃５１では洗濯機５０の乾燥運転が選択されているか否かが判断される。乾燥運転が選択されていない場合にはステップ＃５２に移行し、乾燥運転が選択されている場合にはステップ＃５８に移行する。
【０１１６】
ステップ＃５２では洗濯機５０の洗濯運転が終了するまで待機する。洗濯運転が終了するとステップ＃５３に移行し、図９の停止時報知処理が行われる。
【０１１７】
ステップ＃５４では居室内に人体が存在するか否かが判断される。居室内に人体が存在する場合にはステップ＃５５に移行し、存在しない場合には図６のステップ＃１１に戻る。
【０１１８】
ステップ＃５５では洗濯機５０の洗濯運転の終了後の所定時間（例えば１０分間）以内に居室内の人体が不在になったか否かが判断される。人体が不在になった場合にはステップ＃５６に移行し、不在になっていない場合には図６のステップ＃１１に戻る。ステップ＃５５のＹＥＳの場合に洗濯物Ｗの外干しのために使用者は屋外に出たと判断される。
【０１１９】
ステップ＃５６では居室内の人体が不在になった後に所定時間（例えば３０分間）以内に居室内に人体が再度存在したか否かが判断される。居室内に人体が再度存在した場合にはステップ＃５７に移行し、再度存在していない場合には図６のステップ＃１１に戻る。ステップ＃５６のＹＥＳの場合に使用者が洗濯物Ｗの外干しを終えて屋外から居室内に戻ったと判断される。
【０１２０】
ステップ＃５７では空気調和機１０が冷暖房運転中であるか否かが判断される。空気調和機１０が冷房運転中の場合にはステップ＃６０に移行し、暖房運転中の場合にはステップ＃７０に移行し、冷暖房運転中ではない場合には図６のステップ＃１１に戻る。
【０１２１】
ステップ＃６０では夏季か否かが判断される。空気調和機１０及び洗濯機５０はルータ１０１を介してネットワーク１００に接続されているため、ネットワーク１００を介して季節情報を容易に取得することができる。夏季の場合にはステップ＃６１に移行し、夏季ではない場合には図６のステップ＃１１に戻る。ステップ＃６１では空気調和機１０の冷房能力をそれ以前よりも高くする。これにより、夏季に屋外で洗濯物Ｗの外干しを行った使用者に快適感を与えることができる。なお、設定温度の低下及び送風機９の風量の増加の一方または両方により空気調和機１０の冷房能力を高くすることができる。
【０１２２】
空気調和機１０の冷房運転は夏季のみに行われるとは限らず、例えば秋季でも使用者の好みによって冷房運転が行われる場合がある。この場合、外気温は夏季に比べて高くないため、冷房能力を高くする必要性は小さい。このため、本実施形態では、空気調和機１０が冷房運転中の場合でも夏季でなければ冷房能力を高くしない。これにより、空気調和機１０の消費電力の増大を低減することができる。
【０１２３】
ステップ＃６２では所定時間（例えば１５分間）が経過するまで待機する。所定時間が経過するとステップ＃６３に移行し、冷房能力を低下させて空気調和機１０の冷房能力を元に戻す。
【０１２４】
ステップ＃７０では冬季か否か判断される。冬季の場合にはステップ＃７１に移行し、冬季ではない場合には図６のステップ＃１１に戻る。ステップ＃７１では空気調和機１０の暖房能力を高くする。これにより、冬季に屋外で洗濯物Ｗの外干しを行った使用者に快適感を与えることができる。なお、設定温度の上昇により空気調和機１０の暖房能力を高くすることができる。ステップ＃７１の後はステップ＃６２に移行し、所定時間経過するとステップ＃６３に移行して暖房能力を低下させて空気調和機１０の暖房能力を元に戻す。ステップ＃６３の後は図６のステップ＃１１に戻る。
【０１２５】
空気調和機１０の暖房運転は冬季のみに行われるとは限らず、例えば春季でも使用者の好みによって暖房運転が行われる場合がある。この場合、外気温は冬季に比べて低くないため、暖房能力を高くする必要性は小さい。このため、本実施形態では、空気調和機１０が暖房運転中の場合でも冬季でなければ暖房能力を高くしない。これにより、空気調和機１０の消費電力の増大を低減することができる。
【０１２６】
ステップ＃５８では洗濯機５０の運転（乾燥運転）が終了するまで待機する。洗濯機５０の運転が終了するとステップ＃５９に移行し、停止時報知処理が行われる。ステップ＃５９の後は図６のステップ＃１１に戻る。
【０１２７】
なお、図８の空調制御処理と図１０の空調制御処理とが並行して行われてもよい。例えば、図８のステップ＃３３のＮＯの場合に図１０に示す空調制御処理に移行してもよい。
【０１２８】
本実施形態でも第１実施形態と同様の効果を得ることができる。また、空気調和機１０の冷房運転または暖房運転中に、洗濯機５０の運転終了後の所定時間内に室内の人体が不在になり、不在後の所定時間内に再び室内に人体が存在した際に、冷房能力または暖房能力を所定時間高くする。これにより、洗濯物Ｗの外干しのために屋外に出て居室に戻ってきた使用者にユーザ操作を必要とせずに快適感を与えることができる。具体的には、夏季であれば、暑い中洗濯物Ｗを屋外に干して居室内に戻ってきた使用者に心地よい冷涼感を与えることができる。また、冬季であれば、寒い中洗濯物Ｗを屋外に干して居室内に戻ってきた使用者に心地よい暖房感を与えることができる。
【０１２９】
なお、ステップ＃６０において、室外機３０の温度センサ３２の検知温度（外気温）が所定の上限温度よりも高いか否かが判断されてもよい。この場合、外気温が所定の上限温度（例えば３０℃）よりも高い場合に夏季か否かに拘わらずステップ＃６１に移行し、所定の上限温度よりも高くない場合に図６のステップ＃１１に戻る。すなわち、外気温が所定の上限温度よりも高い場合には冷房能力を高くし、外気温が所定の上限温度よりも高くない場合には冷房能力を高くしない。
【０１３０】
また、ステップ＃７０において、温度センサ３２の検知温度（外気温）が所定の下限温度よりも低いか否かが判断されてもよい。この場合、外気温が所定の下限温度（例えば５℃）よりも低い場合に冬季か否かに拘わらずステップ＃７１に移行し、所定の下限温度よりも低くない場合に図６のステップ＃１１に戻る。すなわち、外気温が所定の下限温度よりも低い場合には暖房能力を高くし、外気温が所定の下限温度よりも低くない場合には暖房能力を高くしない。
【０１３１】
また、ステップ＃５６で人体を再度検知するまでの時間が長いほどステップ＃６２の所定時間を長くしてもよい。これにより、使用者が屋外にいたと推定される時間に応じて冷房能力または暖房能力が高い時間が長くなるため、屋外から居室に戻ってきた使用者により快適感を与えることができる。
【０１３２】
また、ステップ＃６１及びステップ＃７１において、それぞれ冷房能力及び暖房能力を高くする際に冷房能力及び暖房能力を高くする旨の報知を報知部２６により行ってもよい。また、ステップ＃６３において、冷房能力または暖房能力を元に戻す旨の報知を報知部２６により行ってもよい。
【０１３３】
また、ステップ＃６１及びステップ＃７１において、空気調和機１０の冷房能力及び暖房能力の変更幅は使用者が個別に設定できるようにしてもよい。
【０１３４】
＜第３実施形態＞
次に、本発明の第３実施形態について説明する。図１１は第３実施形態の家電システム１の空気調和機１０と洗濯機５０とが連携する連携動作の空調制御処理を示すフローチャートである。本実施形態では図６のステップ＃１４の空調制御処理が前述の図１〜図９に示す第１実施形態とは異なっている。その他の部分は第１実施形態と同様である。説明の便宜上、前述の図１〜図９と同様の部分には同一の符号を付している。
【０１３５】
図６のステップ＃１４に移行すると、ステップ＃８１では洗濯機５０の運転が終了するまで待機する。洗濯機５０の運転が終了するとステップ＃８２に移行し、停止時報知処理が行われる。
【０１３６】
ステップ＃８３では居室内の湿度の上昇率Ｈが上限値Ｈｔよりも大きいか否かが判断される。本実施形態では、洗濯機５０の運転終了時の居室内の湿度及び終了３０分後の居室内の湿度に基づいて上昇率Ｈを導出している。
【０１３７】
上昇率Ｈが上限値Ｈｔよりも大きい場合にはステップ＃８４に移行し、上限値Ｈｔよりも大きくない場合には図６のステップ＃１１に戻る。
【０１３８】
ステップ＃８４では空気調和機１０が暖房運転中であるか否かが判断される。空気調和機１０が暖房運転中である場合にはステップ＃８７に移行し、暖房運転中ではない場合にはステップ＃８５に移行する。
【０１３９】
ステップ＃８５では空気調和機１０の除湿運転及び除臭運転が行われる。これにより、洗濯機５０のドラム５７内の水分や洗濯物Ｗの水分、洗濯物Ｗを屋外に干す際に取り込んだ外気中の水分等によって居室内の湿度が上昇した場合に居室内の除湿及び除臭を行うことができる。
【０１４０】
また、居室内の湿度の上昇率Ｈが上限値Ｈｔを超えた場合に除湿運転及び除臭運転が行われる。このため、例えば洗濯機５０の運転終了前から加湿器等を駆動させて居室内を加湿している場合（居室内の湿度が高く維持されている場合）等には上昇率Ｈは上限値Ｈｔを超えにくい。したがって、加湿器等による居室内の加湿が本実施形態の空調制御処理によって妨げられることを防止できる。
【０１４１】
ステップ＃８６では空気調和機１０の除湿運転及び除臭運転が終了するまで待機する。除湿運転及び除臭運転は所定時間（例えば１時間）行われる。なお、リモートコントローラ４０を介したキャンセル指示により除湿運転及び除臭運転は所定時間の経過前に終了してもよい。
【０１４２】
なお、ステップ＃８５において、空気調和機１０は除湿運転及び除臭運転の一方のみを行ってもよい。また、ステップ＃８５において、除臭運転のみが行われる場合にはステップ＃８４及びステップ＃８７を省いてもよい。
【０１４３】
なお、ステップ＃８５で除湿運転及び除臭運転を開始する際に、室内機２０の報知部２６（図３参照）により「除湿運転及び除臭運転を開始します」との音声が所定時間（例えば１５秒間）出力されてもよい。これにより、居室内の使用者は空気調和機１０の除湿運転及び除臭運転の開始を容易に認識することができる。
【０１４４】
本実施形態でも第１実施形態と同様の効果を得ることができる。また、洗濯機５０の運転終了後の所定時間内の室内湿度の上昇率Ｈが所定の上限値Ｈｔよりも大きい場合に空気調和機１０が除湿運転及び除臭運転を開始する。これにより、洗濯機５０のドラム５７（洗濯槽）内の水分や洗濯物Ｗの水分、洗濯物Ｗを屋外に干す際に取り込んだ外気中の水分等によって居室内の湿度が上昇した場合でもユーザ操作を必要とせずに居室内の除湿及び除臭を行うことができる。
【０１４５】
第１実施形態〜第３実施形態において、空気調和機１０のリモートコントローラ４０または洗濯機５０の操作部５４に連携ボタンを設け、連携ボタンの操作により空気調和機１０と洗濯機５０との連携動作が行われてもよい。
【０１４６】
また、第１実施形態〜第３実施形態において、通信部２８、８２はそれぞれ空気調和機１０及び洗濯機５０に内蔵されているが、外付可能（後付可能）に構成されてもよい。
【０１４７】
また、第１実施形態〜第３実施形態において、ルータ１０１にホームサーバ（不図示）を接続し、通信部２８、８２はホームサーバを通してデータ通信を行ってもよい。
【０１４８】
また、第１実施形態〜第３実施形態において、空気調和機１０の通信部２８及び洗濯機５０の通信部８２の一方または両方を電話回線によりネットワーク１００に直接接続してもよい。通信部２８及び通信部８２の一方のみを電話回線によりネットワーク１００に直接接続する場合には例えばブルートゥース（登録商標）等の無線通信規格により通信部２８と通信部８２とを互いに直接接続してもよい。
【０１４９】
また、第１実施形態〜第３実施形態において、通信部２８、８２をネットワーク１００に接続せず、例えばブルートゥース（登録商標）等の無線通信規格により通信部２８と通信部８２とを互いに直接接続してもよい。この場合には、空気調和機１０及び洗濯機５０の少なくとも一方に気象センサ及び時計を設ければ、気象情報及び時刻情報を取得することができる。
【０１５０】
以上、本発明の実施形態について説明したが、本発明の範囲はこれに限定されるものではなく、発明の主旨を逸脱しない範囲で種々の変更を加えて実施することができる。また、本発明の実施形態のうちいくつか或いはすべてを組み合わせて用いてもよい。
【産業上の利用可能性】
【０１５１】
本発明は、空気調和機と洗濯機とを備える家電システムに利用することができる。
【符号の説明】
【０１５２】
１      家電システム
２      筐体
３      オープンパネル
４      吸込口
５      吹出口
６      電源コード
７      風向パネル
８      空気通路
９      送風機
１０      空気調和機
１１      熱交換器
１２      縦風向板
１３      吹出通路
１４      イオン発生装置（帯電粒子発生装置）
１５      据付板
１８      横風向板
２０      室内機
２１      人感センサ
２２      温度センサ
２３      湿度センサ
２４      記憶部
２５      接続部
２６      報知部
２７      通信部（第１通信部）
２９      制御部
３０      室外機
３１      圧縮機
３２      温度センサ
３３      送風機
３４      記憶部
３５      接続部
３９      制御部
４０      リモートコントローラ
４１      赤外線受光部
５０      洗濯機
５１      筐体
５１ａ    投入口
５２      扉
５３      透視窓
５４      操作部
５５      給水口
５６      水槽
５６ａ    開口部
５７      ドラム
５７ａ    開口部
５７ｂ    小孔
５８      流体バランサ
５９      ダンパ
６０      モータ
６１      循環ダクト
６２      冷却器
６３      加熱器
６４      送風機
６５      イオン発生装置（帯電粒子発生装置）
６６      給水通路
６７      給水弁
６８      洗剤室
６９      排水通路
７０      排水弁
７１      排水トラップ
７３      圧縮機
８０      制御部
８１      記憶部 
８２      通信部（第２通信部）
８５      洗濯物センサ
８６      報知部
９０      配線
１００    ネットワーク
１０１    ルータ
Ｃ        電源コンセント
【図１】
2018089209.tif 000003
【図２】
2018089209.tif 000004
【図３】
2018089209.tif 000005
【図４】
2018089209.tif 000006
【図５】
2018089209.tif 000007
【図６】
2018089209.tif 000008
【図７】
2018089209.tif 000009
【図８】
2018089209.tif 000010
【図９】
2018089209.tif 000011
【図１０】
2018089209.tif 000012
【図１１】
2018089209.tif 000013